(57)【要約】  本発明は、キーパッド上の各ボタンに各言語別文字の子音を割り当てて、キーパッドがスライディングされる少なくとも四つ以上の方向(上、下、左、右、対角線など)には母音を割り当てる。そして、ハングルキーパッドの場合は、キーパッド上の各ボタンを押圧することで子音を入力し、少なくとも四つ以上の方向にスライディングされるキーパッド作業を通じて子音を入力するように構成する。また、ローマ字キーパッドの場合、キーパッド上の各ボタンを押圧することでアルファベットを二種類ずつ入力し、少なくとも四つ以上の方向にスライディングされるキーパッド作業を通じて母音を入力するように構成する。さらに、日本語キーパッドの場合、キーパッド上の各ボタンを押圧することで各行の‘あ’段を入力し、少なくとも四つ以上の方向にスライディングされるキーパッド作業を通じて各行のい段、う段、え段、お段及びその他特殊文字と機能キーを入力する。【選択図】  図１０【その他】  同日付、上申書を提出致しました。
2007514363.tif 000002
【特許請求の範囲】
【請求項１】
外部との通信又はデータ貯蔵のために文字及び数字を入力することができる通信端末機において、
複数のボタン及び少なくとも四つ以上のスライディング方向にハングル、ローマ字、日本語、中国語などのような各言語別の子音、母音、数字、機能キーが割り当てられ、文字・数字の入力を所望する使用者のボタン操作、又は使用者の中央を中心として通信端末機の本体内で少なくとも四つ以上の方向にスライディングする操作によるキー信号を発生させるキーパッドと、
前記通信端末機で使用される各言語別の文字データを保存する文字貯蔵部と、
前記通信端末機内部の動作プログラムを貯蔵するプログラムメモリと、
前記キーパッド上に配置されている各種ボタン及び前記キーパッドのスライディング方向に相応するコードデータを貯蔵するコード貯蔵部と、
前記キーパッド上に備えられた各ボタンのキー操作状態を検出するボタン操作認識部と、
少なくとも四つ以上の方向への前記キーパッドスライディング操作によるキー操作状態を検出するキーパッドスライディング認識部と、
前記ボタン操作認識部及び／又は前記キーパッドスライディング認識部を介してキー操作状態検出信号が入力されると、前記プログラムメモリに貯蔵さた動作プログラムによって、前記文字貯蔵部に保存された文字データを参照とし、使用者がどの国の言語の音素を入力するかを判断し、次いで前記コード貯蔵部に保存のコードデータを参照としながら使用者が入力する当該言語の音素を表示するための表示制御信号を生成して出力するマイクロプロセッサーと、
前記マイクロプロセッサーから出力される表示制御信号により前記キーパッド上のボタン又はキーパッドスライディングの操作を通じて使用者により選ばれた文字及び数字を表示するための駆動制御信号を出力する表示駆動部と、
前記表示駆動部から出力される駆動制御信号によって、文字及び数字を画面上にディスプレーする表示部とを含めて構成されることを特徴とする通信端末機の文字・数字入力装置。
【請求項２】
前記キーパッドがハングルキーパッドである場合、前記キーパッド上に備えられた各ボタンに子音を割り当てて、前記キーパッドがスライディング可能な少なくとも四つ以上の方向に母音を割り当てることを特徴とする請求項１に記載の通信端末機の文字・数字入力装置。
【請求項３】
前記キーパッドがスライディング可能な少なくとも四つ以上の方向に割り当てられる母音において、
中央を中心とする周辺の左上、上、右上、左、右、左下、下、右下に、‘(ハングル母音のＡの文字)’、‘(ハングル母音のＷＡの文字)’、‘(ハングル母音のＯの文字)’、‘(ハングル母音のＵ(横)の文字)’、‘(ハングル母音のＩの文字)’、‘(ハングル母音のＵの文字)’、‘(ハングル母音のＷＯの文字)’、‘(ハングル母音のＯ(反時計方向に９０°回転)の文字)’が割り当てられることを特徴とする請求項２に記載の通信端末機の文字・数字入力装置。
【請求項４】
前記キーパッドがスライディング可能な少なくとも四つ以上の方向に割り当てられる母音を除いた他の母音は、
当該キーパッドを操作する使用者により、一回押し、二回押し、長く押しのボタン操作、前記キーパッドのスライディング優先操作によって生成されることを特徴とする請求項２に記載の通信端末機の文字・数字入力装置。
【請求項５】
前記キーパッドがローマ字である場合、前記キーパッド上に備えられた各ボタンに２種類のアルファベットを割り当てて、前記キーパッドがスライディング可能な少なくとも四つ以上の方向にアルファベットの母音・子音及びその他特殊文字と機能キーを割り当てることを特徴とする請求項１に記載の通信端末機の文字・数字入力装置。
【請求項６】
前記キーパッドがスライディング可能な少なくとも四つ以上の方向に割り当てられる子音・母音において、
中央を中心とする周辺の左上、上、右上、左、右、左下、右下に、‘Ａ’、‘Ｅ’、‘Ｉ’、‘Ｏ’、‘Ｕ’、‘Ｗ’、‘Ｙ’が割り当てられ、
当該ボタンを押圧した状態で、前記キーパッドを下方へスライディングさせると、当該ボタンに割り当てられた二つのアルファベットから二番目のものが入力されることを特徴とする請求項５に記載の通信端末機の文字・数字入力装置。
【請求項７】
前記キーパッド上の各ボタンと、前記キーパッドがスライディング可能な少なくとも四つ以上の方向に割り当てられたアルファベットとの組合において、
使用者が前記キーパッド上の各ボタンを押圧した状態で、前記キーパッドのスライディング操作を行うと、前記キーパッド上の当該ボタンに割り当てられた一番目のアルファベットと、前記キーパッドのスライディング方向に割り当てられたアルファベットとが同時に入力され、
使用者が前記キーパッド上の各ボタンを操作せずに、手の摩擦力のみで前記キーパッドのスライディング操作を行った後、前記キーパッド上に備えられたボタンを押圧すると、前記キーパッド上の当該ボタンに割り当てられた二番目のアルファベットと、前記キーパッドのスライディング方向に割り当てられたアルファベットとが同時に入力されることを特徴とする請求項５に記載の通信端末機の文字・数字入力装置。
【請求項８】
前記キーパッドが日本語キーパッドである場合、前記キーパッド上に備えられた各ボタンに各行の‘あ’段を割り当てて、前記キーパッドがスライディング可能な少なくとも四つ以上の方向に各行の‘い’段、‘う’段、‘え’段、‘お’段/特殊文字又は機能キーを割り当てることを特徴とする請求項１に記載の通信端末機の文字・数字入力装置。
【請求項９】
前記キーパッド上に備えられたボタンのうち、各行のあ段が割り当てられなかったボタンに、濁音、長音、漢字変換、平仮名・片仮名変換ボタンを割り当てることを特徴とする請求項８に記載の通信端末機の文字・数字入力装置。
【請求項１０】
前記キーパッド上の各ボタンに割り当てた文字を入力する際、当該ボタンをもう一度押圧すると、発音文字の‘ん’が入力され、
前記キーパッドを、‘う’段が割り当てられた方向にスライディングさせた後、前記キーパッド上に割り当てられた‘た’のボタンを所定時間より長く押圧すると、蜀音の‘っ’文字が入力され、
前記キーパッド上に割り当てられた‘や’のボタンを押圧したり、又は‘や’のボタンを押圧した状態で前記キーパッドをスライディングさせ、‘や’、‘ゆ’、‘よ’の文字を入力した後、当該ボタンを所定時間より長く押圧すると、拗音を表現するための半母音‘ゃ’、‘ゅ’、‘ょ’の文字が入力され、
‘は’行の各段の文字を入力した上で、当該ボタンを長く一度押すことで‘は’行の各段の半濁音が入力され、
‘ア’行の各段の文字を入力した上で、当該ボタンを長く一度押すことで外来語標記の‘ｆ’音を表わすために‘フ’の後ろに小さく表示される‘ァ’、‘ィ’、‘ェ’、‘ォ’の文字が入力されることを特徴とする請求項８に記載の通信端末機の文字・数字入力装置
【請求項１１】
(１)通信端末機のマイクロプロセッサーで使用者が言語別の文字モードを選択するか否かを判断する過程と、
(２)前記通信端末機のマイクロプロセッサーで言語別の文字モードを選んだ使用者が、ハングル入力モード、ローマ字入力モード、日本語入力モードのうち、いずれかの一つの入力モードを選択するか否かを判断する過程と、
(３)使用者がハングル入力モードを選択する場合、前記通信端末機のマイクロプロセッサーではボタン操作認識部及び/又はキーパッドスライディング認識部から入力されるキーパッド上に備えられた複数のボタン操作又は上、下、左、右、対角線などの方向へのキーパッドスライディング操作によるキー信号を検出して、当該ハングルの子音、母音及び数字/記号を組み合わせた後、前記通信端末機の画面上に表示する過程と、
(４)使用者がローマ字入力モードを選択する場合、前記通信端末機のマイクロプロセッサーでは前記ボタン操作認識部及び/または前記キーパッドスライディング認識部から入力されるキーパッド上に備えられた複数のボタン操作又は上、下、左、右、対角線などの方向へのキーパッドスライディング操作によるキー信号を検出して、当該ローマ字の子音、母音及び数字/記号を組み合わせた後、前記通信端末機の画面上に表示する過程と、
(５)使用者が日本語入力モードを選択する場合、前記通信端末機のマイクロプロセッサーでは前記ボタン操作認識部及び/または前記キーパッドスライディング認識部から入力されるキーパッド上に備えられた複数のボタン操作又は上、下、左、右、対角線などの方向へのキーパッドスライディング操作によるキー信号を検出して、当該日本語の平仮名、片仮名、漢字及び数字/記号を組み合わせた後、前記通信端末機の画面上に表示する過程と、
(６)ハングル入力モード、ローマ字入力モード、日本語入力モードのうち、いずれかの一つの入力モードを通じた文字入力作業が終了すると、前記通信端末機のマイクロプロセッサーでは使用者が文字保存を選択するか否かを判断し、使用者が入力した文字を貯蔵する過程と、
(７)前記通信端末機のマイクロプロセッサーでは、使用者が文字モードを終了するか否かを判断して、文字モードを続けるか、又は解除するという過程とを含めて構成されることを特徴とする通信端末機の文字・数字入力方法。
【請求項１２】
前記過程(３)は、
(３−１)使用者によるハングル入力モード選択によって、前記通信端末機のマイクロプロセッサーでハングル入力モードに切り換える段階、
(３−２)ハングル入力モードに切り換えられた後、前記通信端末機のマイクロプロセッサーで当該使用者がメニューキーを操作するか否かを判断する段階、
(３−３)使用者がメニューキーを操作した場合、前記通信端末機のマイクロプロセッサーで使用者が選択した文字消し、空白文字出力、数字及び記号入力、ライン変更などのメニューを実行し、前記段階(３−２)の以降を繰り返して行う段階と、
(３−４)使用者がメニューキーを操作しなかった場合、前記通信端末機のマイクロプロセッサーで使用者がキーパッド上に備えられた複数のボタン及び/又は上、下、左、右、対角線方向へのキーパッドスライディング操作を行い、子音、母音を入力するか否かを判断する段階、
(３−５)前記段階(３−４)の判断結果、使用者がキーパッド上に備えられた複数のボタン及び/又は上、下、左、右、対角線方向へのキーパッドスライディング操作を行う場合、前記通信端末機のマイクロプロセッサーでは使用者の操作によってハングルの子音及び単母音の入力を確認する段階、
(３−６)前記段階(３−４)の判断結果、使用者がキーパッド上に備えられた複数のボタン及び/又は上、下、左、右、対角線方向へのキーパッドスライディング操作を行う場合、前記通信端末機のマイクロプロセッサーでは使用者の操作によってハングルの子音及び二重母音の入力を確認する段階と、
(３−７)前記通信端末機のマイクロプロセッサーで、前記段階(３−５)(３−６)を介した使用者の単母音入力又は二重母音入力操作によるハングルを表示部にディスプレーし、且つ、前記(３−２)段階の以降を繰り返して行う段階とを含めてなされることを特徴とする請求項１１に記載の通信端末機の文字・数字入力方法。
【請求項１３】
前記段階(３−５)は、
(３−５−１)前記通信端末機のマイクロプロセッサーでハングルを入力しようとする使用者の操作によって、キーパッド上に備えられた特定ボタンが押圧されたか否かを判断する段階と、
(３−５−２)使用者の操作によりキーパッド上に備えられた特定ボタンが押圧された状態であれば、前記マイクロプロセッサーで使用者のキーパッドスライディング操作により各スライディング方向に割り当てられた特定母音が選択されるか否かを判断する段階と、
(３−５−３)使用者のキーパッドスライディング操作により各スライディング方向に割り当てられた特定母音が選択されると、前記マイクロプロセッサーではハングル入力のための子音と母音とが一つずつ選択されるか否かを判断する段階と、
(３−５−４)子音と母音とが一つずつ選択された場合、前記マイクロプロセッサーでは子音が割り当てられた特定ボタンが使用者により再び選択されたか否かを判断する段階と、
(３−５−５)子音が割り当てられた特定ボタンが再び選択された場合、前記マイクロプロセッサーで当該子音と二重母音を組み合わせる段階と、
(３−５−６)前記マイクロプロセッサーで使用者の操作による文字が完成型ハングルとなるか否かを判断し、完成型ハングルとなれば、前記段階(３−７)を行う段階と、
(３−５−７)使用者の操作による文字が完成型ハングルとならない場合は、前記マイクロプロセッサーで使用者が入力した文字が子音のみであれば、当該子音のみを出力し、前記段階(３−７)を行う段階と、
(３−５−８)前記段階(３−５−２)の判断結果、使用者のキーパッドスライディング操作によって各スライディング方向に割り当てられた特定母音が選択されなかった場合、前記マイクロプロセッサーで使用者の操作によって当該ボタンが所定時間より長く押圧されるか否かを判断する段階と、
(３−５−９)使用者の操作により当該ボタンが所定時間より長く押圧された場合、前記マイクロプロセッサーでは当該子音を硬音と認識し、前記段階(３−５−１)の以降を繰り返して行う段階と、
(３−５−１０)前記段階(３−５−３)の判断結果、子音と母音とが一つずつ選択されなかった場合、前記マイクロプロセッサーでは使用者のキーパッドスライディング操作によって、子音一つ、母音二つが選ばれたか否かを判断する段階と、
(３−５−１１)子音一つ、母音二つが選ばれた状態であれば、前記マイクロプロセッサーではキーパッドがスライディングされる当該対角線方向に割り当てられた母音を認識し、前記(３−５−４)以降の段階を繰り返して行うが、 子音一つ、母音二つが選択された状態ではない場合は、前記段階(３−５−６)以降を繰り返して行う段階を含めてなされたことを特徴とする請求項１２に記載の通信端末機の文字・数字入力方法。
【請求項１４】
前記段階(３−６)は、
(３−６−１)前記通信端末機のマイクロプロセッサーで使用者の操作によってキーパッド上のボタンが押圧されなかった上で、手の摩擦力のみでキーパッドがスライディングされることによって特定母音が選択されるか否かを判断する段階と、
(３−６−２)使用者のキーパッドスライディング操作により特定母音が選択された場合、前記マイクロプロセッサーでは使用者の操作によりキーパッド上の特定ボタンが操作されることで子音が選択されるか否かを判断する段階と、
(３−６−３)子音が選択された場合、前記マイクロプロセッサーでは使用者が選択した母音と子音が押圧された状態であるか否かを判断する段階と、
(３−６−４)使用者により選ばれた母音と子音とが押圧された状態であれば、前記マイクロプロセッサーでは使用者の操作によりキーパッド上の特定ボタンがもう一度選択されたか否かを判断する段階と、
(３−６−５)キーパッド上の特定ボタンがもう一度選ばれた場合、前記マイクロプロセッサーでは当該子音と二重母音とを組み合わせる段階と、
(３−６−６)前記マイクロプロセッサーで使用者の操作による文字が完成型ハングルとなるか否かを判断し、完成型ハングルとなるのであれば、前記段階(３−７)を実行し、且つ、完成型ハングルとならない場合は、前記段階(３−２)以降を繰り返して行う段階と、
(３−６−７)前記段階(３−６−１)の判断結果、使用者のキーパッドスライディング操作により特定母音が選択されなかった場合、前記マイクロプロセッサーでは使用者のキーパッドスライディング操作によって母音が二つ選択されるか否かを判断する段階と、
(３−６−８)使用者のキーパッドスライディング操作により母音が二つ選択されると、前記マイクロプロセッサーではキーパッドがスライディングされる当該対角線方向に割り当てられた母音を認識し、前記段階(３−６−２)以降を繰り返して行う段階と、
(３−６−９)前記段階(３−６−２)の判断結果、子音が選ばれなければ、前記マイクロプロセッサーでは‘＊’のボタンが選ばれるか否かを判断する段階と、
(３−６−１０) ‘＊’のボタンが選択される場合、前記マイクロプロセッサーでは母音が二つ押圧された状態であるか否かを判断する状態と、
(３−６−１１)母音が二つ押圧された状態であれば、前記マイクロプロセッサーではキーパッドがスライディングされる当該対角線方向に割り当てられた母音を認識する段階と、
(３−６−１２)前記マイクロプロセッサーでは使用者による‘＊’ボタンの一回、二回の選択によって当該母音を単独で出力し、前記段階(３−２)以降を繰り返して行う段階と、
(３−６−１３)前記段階(３−６−４)の判断結果、キーパッド上の特定ボタンがもう一度選択されなかった場合、前記マイクロプロセッサーでは使用者の操作によって当該ボタンが所定時間より長く押圧されるか否かを判断する段階と、
(３−６−１４)使用者の操作によって当該ボタンが長く押圧された場合、前記マイクロプロセッサーでは当該子音を硬音と認識し、前記段階(３−６−６)以降を繰り返して行う段階を含めてなされることを特徴とする請求項１２に記載の通信端末機の文字・数字入力方法。
【請求項１５】
前記過程(４)は
(４−１)使用者のローマ字入力モード選択によって、前記通信端末機のマイクロプロセッサーでローマ字入力モードに切り換える段階、
(４−２)ローマ字入力モードに切り換えられた後、前記通信端末機のマイクロプロセッサーで当該使用者がメニューキーを操作するか否かを判断する段階、
(４−３)使用者がメニューキーを操作すると、前記通信端末機のマイクロプロセッサーで使用者が選択した文字消し、空白文字出力、数字及び記号入力、ライン変更などのメニューを実行し、前記段階(４−２)以降を繰り返して行う段階と、
(４−４)使用者がメニューキーを操作しない場合、前記通信端末機のマイクロプロセッサーでは使用者がキーパッド上に備えられた複数のボタン及び/又は上、下、左、右、対角線方向にキーパッドのスライディング操作を実行し、ローマ字の子音、母音を入力するか否かを判断する段階、
(４−５)前記(４−４)の判断結果、使用者がキーパッド上に備えられた複数のボタン及び/又は上、下、左、右、対角線方向へのキーパッドスライディング操作を行うと、前記通信端末機のマイクロプロセッサーで使用者の操作によりキーパッド上の各ボタンに割り当てられた左側文字と、キーパッドスライディング方向に割り当てられたローマ字の子音、母音の入力を確認する段階、
(４−６)前記段階(４−４)の判断結果、使用者がキーパッド上に備えられた複数のボタン及び/又は上、下、左、右、対角線方向へのキーパッドスライディングの操作を行うと、前記通信端末機のマイクロプロセッサーで使用者の操作によりキーパッド上の各ボタンに割り当てられた右側文字と、キーパッドスライディング方向に割り当てられたローマ字の子音、母音の入力を確認する段階、
(４−７)前記通信端末機のマイクロプロセッサーで前記段階(４−５)(４−６)を介した使用者の左側文字又は右側文字入力操作によるローマ字を表示部にディスプレーし、前記段階(４−２)以降を繰り返して行う段階とを含めてなされることを特徴とする請求項１１に記載の通信端末機の文字・数字入力方法。
【請求項１６】
前記段階(４−５)は、
(４−５−１)前記通信端末機のマイクロプロセッサーにおいてローマ字の入力を所望する使用者の操作によって、キーパッド上に備えられた特定ボタンが押圧されるか否かを判断する段階と、
(４−５−２)キーパッド上に備えられた特定ボタンが押圧された状態であれば、前記マイクロプロセッサーで使用者のキーパッドスライディング操作により当該スライディング方向に割り当てられた特定文字が選択されるか否かを判断する段階と、
(４−５−３)使用者のキーパッドスライディング操作により特定文字が選択された場合、前記マイクロプロセッサーでは前記段階(４−５−１)(４−５−２)を介して使用者が選んだボタン及びキーパッドスライディング操作状態が維持されるか否かを判断する段階と、
(４−５−４)使用者が選択したボタン及びキーパッドスライディング操作状態が維持される場合、前記マイクロプロセッサーで当該ボタンに割り当てられた左側ローマ字と、キーパッドスライディング方向に割り当てらたローマ字とを組み合わせ、前記(４−７)を行う段階と、
(４−５−５)前記段階(４−５−２)の判断結果、使用者のキーパッドスライディング操作によって特定文字が選ばれなかった場合、前記マイクロプロセッサーで使用者の操作によりキーパッド上の特定ボタンが所定時間より長く押圧されるか否かを判断する段階、
(４−５−６)使用者の操作により当該ボタンが長く押圧された場合、前記マイクロプロセッサーでは当該文字を頭文字と認識し、前記段階(４−５−１)以降を繰り返して行う段階と、
(４−５−７)前記段階(４−５−５)の判断結果、当該ボタンが所定時間より長く押圧されなかった場合、前記マイクロプロセッサーで使用者の操作により当該ボタンに割り当てられた右側文字を出力するためのキー操作が行われるか否かを判断する段階と、
(４―５−８)当該ボタンに割り当てられた右側文字を出力するためのキー操作が行われると、前記マイクロプロセッサーでは当該ボタンに割り当てられた右側文字を出力し、前記(４−２)以降を繰り返して行う段階と、
(４−５−９)前記段階(４−５−３)の判断結果、使用者により選ばれたボタン及びキーパッドスライディングの操作状態が維持されなかった場合、前記マイクロプロセッサーでは使用者のキーパッドスライディング操作によって、当該スライディング方向に割り当てられた特定文字がさらに選択されるか否かを判断する段階と、
(４−５−１０)使用者のキーパッドスライディング操作により当該スライディング方向に割当ての特定文字がさらに選択される場合、前記マイクロプロセッサーではキーパッドがスライディングされる当該対角線方向に割り当てられた母音を認識し、前記段階(４−５−４)以降を繰り返して行う段階とを含めてなされたことを特徴とする請求項１５に記載の通信端末機の文字・数字入力方法。
【請求項１７】
前記段階(４−６)は、
(４−６−１)前記通信端末機のマイクロプロセッサーでは使用者の操作によってボタンが押圧されなかった上で、手の摩擦力のみでキーパッドがスライディングされることによって一つの特定文字が選択されるか否かを判断する段階と、
(４−６−２)使用者の操作によりキーパッドがスライディングされ、特定文字が選ばれると、前記マイクロプロセッサーで使用者の操作によってキーパッド上の特定ボタンが操作されるか否かを判断する段階と、
(４−６−３)キーパッド上の特定ボタンが操作されると、前記マイクロプロセッサーでは当該ボタンが所定時間より長く押圧されるか否かを判断する段階と、
(４−６−４)使用者の操作により当該ボタンが長く押圧される場合、前記マイクロプロセッサーでは当該文字を頭文字と認識する段階と、
(４−６−５)前記マイクロプロセッサーでは、前記(４−６−４)を介して認識した頭文字でローマ字を出力し、前記段階(４−７)を行う段階と、
(４−６−６)前記段階(４−６−１)の判断結果、使用者の操作によりキーパッドがスライディングされることで一つの文字が選ばれなかった場合、前記マイクロプロセッサーでは使用者の操作によってキーパッドがスライディングされ、二つの文字がさらに選ばれるか否かを判断する段階と、
(４−６−７)使用者の操作によりキーパッドがスライディングされ、二つの文字が選択される場合、前記マイクロプロセッサーではキーパッドがスライディングされる当該対角線方向に割り当てられた母音を認識し、前記段階(４−６−２)以降を繰り返して行う段階とを含めてなされることを特徴とする請求項１５に記載の通信端末機の文字・数字入力方法。
【請求項１８】
前記過程(５)は
(５−１)使用者による日本語入力モード選択によって、前記通信端末機のマイクロプロセッサーでは日本語入力モードに切り換える段階、
(５−２)日本語入力モードに切り換えられた後、前記通信端末機のマイクロプロセッサーで当該使用者がメニューキーを操作するか否かを判断する段階、
(５−３)使用者がメニューキーを操作すると、前記通信端末機のマイクロプロセッサーでは使用者が選択した文字消し、空白文字出力、数字及び記号入力、ライン変更などのメニューを実行し、前記段階(５−２)以降を繰り返して行う段階と、
(５−４)使用者がメニューキーを操作しなければ、前記通信端末機のマイクロプロセッサーでは使用者がキーパッド上に備えられた複数のボタン及び/又は上、下、左、右、対角線方向にキーパッドのスライディング操作を行い、平仮名、片仮名、漢字からなる日本語を入力するか否かを判断する段階と、
(５−５)前記通信端末機のマイクロプロセッサーでは前記(５−４)を介した使用者のボタン操作及び/又はキーパッドスライディング操作による平仮名、片仮名、漢字からなる日本語を表示部にディスプレーし、前記(５−２)以降を繰り返して行う段階とを含めてなされることを特徴とする請求項１１に記載の通信端末機の文字・数字入力方法。
【発明の詳細な説明】
【技術分野】
【０００１】
本発明は、文字・数字入力装置及び入力方法に関するものである。より詳しくは、様々なボタンが備えられたキーパッドの中央を中心として本体内で少なくとも四つ以上の方向へスライディングすることが可能となるように構成することによって、文字や数字の入力を簡単且つ容易に行うことができるようにした通信端末機の文字・数字入力装置及び該入力方法に関する。
【背景技術】
【０００２】
最近、情報通信技術が急激に発達する中で、個人が移動中にも音声及びデータ通信を容易に行うことができるようにする移動電話、ＰＤＡ、ポケットＰＣ、インタネット端末機などのような通信端末機が開発され、幅広く普及されつつある。
【０００３】
特に、一般の個人無線通信サービスに対する技術的発達と加入者数の飛躍的増加に伴って各種付加サービスも開発されることから、現在、活発にサービスが提供されている。このような付加サービスのうちに、文字伝送サービスは音声通信端末機を利用して文字伝送機能を行えるという特異性に起因して利用者達の特別な関心の対象となっていた。
【０００４】
こうした文字伝送サービスを提供するためには、電子式キーパッドのような縮小型文字盤を介して容易に入力することが可能な文字入力方法及び装置が要求されることになる。
【０００５】
縮小型文字盤を応用した分野としては、キー数が少なければならないパームトップ(Palm Top)型コンピュータなどのような小型総合キーボードシステムと、インタネットＴＶ、デジタルスチールカメラ、ＰＤＡ、電子手帳などのキーボード入力装置の代用としてのキーボードシステムと、公共建物やその他案内を要求するところに設けられた案内簡易構造物、電子錠、現金自動支給機などのような類似した構造と機能を持った入力システムなどが挙げられる。
【０００６】
電子式電話型キーパッドのように制限された数のボタンを備えた縮小型キーボードを介して文字伝送サービスを提供するためには支援しようとする言葉の子音/母音を電子式電話型キーパッド上に効率よく重複配置したり、機能キー操作により使用者の意図に伴って迅速に文字の子音と母音とを組み合わせなければならない。
【０００７】
これにより、上述したような技術的な要求を満たすために様々な文字入力システムが開発されて使用されるが、電子式電話型キーパッドを用いた文字コード入力方法に関連した従来技術は当該キーパッドの子音と母音の配置が混在されているため、オペレータがキーボードを熟知するのに手間がかかると共に、一つの文字に対する組合が完了される時ごとに終了表示文字を入力しなければならないという問題を抱えていた。
【０００８】
また、最近開発の文字入力装置及び方法等は、既存の問題点をある程度は補完したものとみられるが、製造コストが高くなるという問題点が指摘されており、且つ、従来の不都合が効果的に解消されたとは言えないため、端末機製造社が生産のための決定を容易に下し得ない実情である。
【０００９】
一方、現在ＰＣＳなどで用いられるコード表上のＸ座標式、ＸＹ座標式、連続プッシュ入力方式は、オペレータが別のモード変換ボタンを使用しなければならない。しかも、左右矢印ボタンなどの機能ボタンを別に備えなければならないため、ボタン操作回数が相対的に多く、キーボードの座標を判読するために、相対的に多くの時間を要するという不都合が生ずる。
【００１０】
以上で詳述した従来技術による電子式電話型キーパッドを用いた文字入力方法は、一般のワードプロセッサーから提供する文字入力体系と極めて相違しているため、オペレータの親和性を低下させるという問題がある。特に、一つのボタンに複数の子母を割り当てる場合、いくら整然とした規則性を持つ配列構造を用いたとしても、オペレータがこれらを熟知するのに多くの努力が求められるばかりでなく、ボタンの操作を覚えるのに支障を来たすという問題もがあった。
【００１１】
さらに、今後、次世帯の映像移動電話事業で、超高速無線通信網を介して使用者間のデータを授受する無線ネットワークに用いられるＩＭＴ−２０００端末機において、使用者が真に所望する複合マルチメディア機器としての機能を果たすために、ディスプレーと入力方式の限界を局服することが何よりも重要であることから、有用な文字入力及び装置の役割は非常に大きいといえる。
【発明の開示】
【発明が解決しようとする課題】
【００１２】
本発明は、前記問題等に鑑みて成されたものであって、該目的は、各種ボタンが備えられているキーパッドの中央を中心とし、本体内で少なくとも四つ以上の方向にスライディングすることができるように構成することによって、通信端末機を用いた各言語別文字/数字の入力を簡単且つ容易に行えるようにする通信端末機の文字/数字入力装置及び入力方法を提供することにある。
【００１３】
また、本発明の他の目的は、キーパッド上の各ボタン及び四つ以上の方向にスライディング可能なキーパッドの各方向に各言語別文字の子音と母音を割り当てて、使用者が、一回の操作を通じて最大二つ以上の音素を入力することができるようにすることによって、文字/数字の入力速度を画期的に増大させるようにする通信端末機の文字/数字入力装置及び入力方法を提供することにある。
【課題を解決するための手段】
【００１４】
前述した目的等を達成するための本発明による通信端末機の文字/数字入力装置は、外部との通信又はデータ貯蔵のために文字及び数字を入力することができる通信端末機において、複数のボタン及び少なくとも四つ以上のスライディング方向にハングル、ローマ字、日本語、中国語などのような各言語ごとに子音、母音、数字、機能キーが割り当てられており、文字・数字の入力を所望する使用者のボタン操作、又は使用者の中央を中心として通信端末機の本体内で少なくとも四つ以上の方向にスライディングする操作によるキー信号を発生させるキーパッドと、通信端末機で用いる各言語別文字データを保存する文字貯蔵部と、通信端末機内部の動作プログラムを貯蔵するプログラムメモリと、キーパッド上に配置されている各種ボタン及び前記キーパッドのスライディング方向に対応するコードデータを貯蔵するコード貯蔵部と、キーパッド上に備えられた各ボタンのキー操作状態を検出するボタン操作認識部と、少なくとも四つ以上の方向へのキーパッドスライディング操作によるキー操作状態を検出するキーパッドスライディング認識部と、ボタン操作認識部及び／又はキーパッドスライディング認識部を介してキー操作状態の検出信号が入力されると、プログラムメモリに貯蔵された動作プログラムによって、文字貯蔵部に保存された文字データを参照し、使用者がどの国の言語の音素を入力するかを判断し、次いでコード貯蔵部に保存されたコードデータを参照としながら使用者が入力する当該言語の音素を表示するための表示制御信号を生成して出力するマイクロプロセッサーと、マイクロプロセッサーから出力される表示制御信号によりキーパッド上のボタン又はキーパッドスライディング操作を介して使用者により選ばれた文字及び数字を表示するための駆動制御信号を出力する表示駆動部と、表示駆動部から出力される駆動制御信号によって、文字及び数字を画面上にディスプレーする表示部とを含めて構成されることを特徴とする。
【００１５】
また、本発明による通信端末機の文字/数字入力方法は、(1)通信端末機のマイクロプロセッサーで使用者が言語別文字モードを選択するかを判断する過程と、(２)通信端末機のマイクロプロセッサーで言語別文字モードを選んだ使用者が、ハングル入力モード、ローマ字入力モード、日本語入力モードのうち、いずれかの一つの入力モードを選択するかを判断する過程と、(３)使用者がハングル入力モードを選択すると、通信端末機のマイクロプロセッサーでボタン操作認識部及び/又はスライディング認識部から入力されるキーパッドに備えられた複数のボタン操作又は上、下、左、右、対角線などの方向へのキーパッドスライディング操作によるキー信号を検出し、当該ハングルの子音、母音及び数字/記号を組み合わせ、通信端末機の画面上に表示する過程と、(４)使用者がローマ字入力モードを選択すると、通信端末機のマイクロプロセッサーでボタン操作認識部及び/またはキーパッドスライディング認識部から入力されるキーパッド上に備えられた複数のボタン操作、又は上、下、左、右、対角線などの方向へのキーパッドスライディング操作によるキー信号を検出して、当該ローマ字の子音、母音及び数字/記号を組み合わせ、通信端末機の画面上に表示する過程と、(５)使用者が日本語入力モードを選択すると、前記通信端末機のマイクロプロセッサーでボタン操作認識部及び/またはキーパッドスライディング認識部から入力されるキーパッド上に備えられた複数のボタン操作、又は上、下、左、右、対角線などの方向へのキーパッドスライディング操作によるキー信号を検出して、当該日本語の平仮名、片仮名、漢字及び数字/記号を組み合わせ、通信端末機の画面上に表示する過程と、(６)ハングル入力モード、ローマ字入力モード、日本語入力モードのうち、いずれかの一つの入力モードを通じた文字入力の作業が終了すると、通信端末機のマイクロプロセッサーで使用者が文字貯蔵を選択するか否かを判断し、使用者が入力した文字を貯蔵する過程と、(７)前記通信端末機のマイクロプロセッサーで使用者が文字モードを終了するか否かを判断して、文字モードを続けるか、又は解除するという過程とを含めて構成されることを特徴とする。
【発明を実施するための最良の形態】
【００１６】
以下では、添付の図面を参照としながら本発明の通信端末機の文字・数字入力装置及び入力方法を詳しく述べる。
【００１７】
図１は、本発明による通信端末機構造の概略を示した図面であり、図２は、本発明による通信端末機のキーパッド駆動状態を説明するための図面であり、図３は、本発明による通信端末機の文字・数字入力装置の内部構成の一実施例を概略的に示したブロック図である。
【００１８】
図示のように、キーパッド１０は、ハングル、ローマ字、日本語、中国語などの各国言語、数字、特殊文字などを入力しえる複数のボタンを備えており、使用者の操作によりキーパッド１０全体が通信端末機本体１内で、上、下、左、右、対角線(左上、右上、左下、右下)方向などのような少なくとも四つ以上の方向にスライディングすることができる構造を有している。
【００１９】
キーパッド１０がスライディングされる構造は、図１に示されたようにキーパッド１０のエッジ３が本体１内の溝５内に嵌め込まれるが、溝５内で上、下、左、右、対角線方向などに移動可能に設けられることが好ましい。その他は、キーパッド１０と本体１との組合関係を互いに異にして構成し得ることは言うまでもない。
【００２０】
この際、キーパッド１０上の各ボタンと、四つ以上のスライディング方向とにはハングル、ローマ字、日本語、中国語などの各言語ごとに子音、母音、数字、機能キーが割り当てられており(図４、図６、図８参照)、文字・数字入力を所望する使用者のボタン操作又は使用者の中央を中心として通信端末機本体１内で少なくとも四つ以上の方向にスライディング操作によるキー信号を発生させる。
【００２１】
そして、キーパッド１０上の各ボタン及び四つ以上のスライディング方向にハングル、ローマ字、日本語など、各言語ごとに子音と母音とを割り当てる際、ハングルキーパッド１００の場合、キーパッド１０上の各ボタンには子音を入力することができるようにし、少なくとも四つ以上のスライディング方向には母音を入力し得るように割り当てる。また、ローマ字キーパッド２００の場合、キーパッド１０上の各ボタンにアルファベットを２種類ずつ入力し得るようにし、少なくとも四つ以上のスライディング方向にはアルファベットの子音及び母音を入力することができるように割り当てる。さらに、日本語キーパッド３００の場合、キーパッド１０上の各ボタンに各行の‘あ’段を入力することができるようにし、少なくとも四つ以上のスライディング方向に各行の‘い’段、‘う’段、‘え’段、‘お’段、及びその他特殊文字と機能キーを入力し得るように割り当てる。
【００２２】
これにより、使用者による一回の文字及び数字入力を通じて最大１２８個の入力信号を感知することができるため、少数のボタンを備えたキーパッド１０を必要とする通信端末機に適用することによって、一般のコンピュータキーボードにおける文字入力速度と正確さを具現することができる。
【００２３】
例えば、ハングルキーパッド(図４)の場合、本発明によるキーパッド１０上のボタンのうち、特定ボタン一つに割り当てられた子音と、キーパッド１０のスライディング方向に割り当てられた母音とを用いて最大１２８個の文字を入力することができ、一般キーパッドとしては具現しにくい入力方式であると言える。ローマ字と日本語の場合にも本発明により一回の操作で最大二つの文字を入力し得ることになる。
【００２４】
ボタン操作認識部２０はキーパッド１０上に備えられた各ボタンのキー操作状態を検出し、マイクロプロセッサー７０に出力する。
【００２５】
キーパッドスライディング認識部３０は、少なくとも四つ以上の方向へのキーパッド１０スライディング操作によるキー操作状態を検出してマイクロプロセッサー７０に出力する。
【００２６】
この際、前述したキーパッドスライディング認識部３０は、キーパッド１０のスライディングを感知しえるようにキーパッド１０が嵌め込まれる通信端末機本体１内の溝５の内側に設けられているが、キーパッド１０のスライディング構造によって設置位置は可変できる。
【００２７】
文字貯蔵部４０は、ハングル(例えば、完成型文字)、ローマ字、日本語などの各言語別文字、数字及び記号、特殊文字を貯蔵しており、マイクロプロセッサー７０の制御によって、当該言語の文字を出力する。
【００２８】
プログラムメモリ５０は、マイクロプロセッサー７０の動作プログラムを貯蔵する。
【００２９】
コード貯蔵部６０は、キーパッド１０上に配置されている各種ボタン及びキーパッド１０のスライディング方向に対応するコードデータを貯蔵する。
【００３０】
マイクロプロセッサー７０は、ボタン操作認識部２０及び/またはキーパッドスライディング認識部３０を通じてキー操作状態検出信号が入力されると、プログラムメモリ５０に貯蔵された動作プログラムにより文字貯蔵部４０に貯蔵された文字データを参照し、使用者がどの国の言語の音素を入力するかを判断した上で、コード貯蔵部６０に保存されたコードデータを参照とし、使用者が入力する当該言語の音素を表示するための表示制御信号を生成し、表示駆動部８０に出力する。
【００３１】
表示駆動部８０は、マイクロプロセッサー７０から出力される表示制御信号によって、キーパッド１０上のボタン又はキーパッド１０のスライディング操作を通じて使用者が選択した文字及び数字を表示するための駆動制御信号を表示部９０に出力する。
【００３２】
表示部９０は、通常、ＬＣＤなどからなり、表示駆動部８０から出力される駆動制御信号によって文字及び数字を画面上にディスプレーし、使用者自ら入力した文字・数字を確認することが可能となるようにする。
【００３３】
図４は、本発明による通信端末機の文字・数字入力装置のハングルキーパッド１００に一実施例を示した図面であり、図５は、本発明のハングルキーパッド１００を用いた文字・数字入力方法において、子音と母音との組合を具現するための変換例及び子音と母音との組合を指し示す図表として、‘(ハングル子音のＫ(又はＧ)の文字)’が割り当てられたボタンを用いた全種類のハングル入力方法を例示したものである(ここで、図表の下段に例示された‘−’の表示はボタンを押した状態で操作するという意味であり、‘押す(ｐｒｅｓｓ)’とは、ボタンを押さないで、手の摩擦力のみでキーパッド１０を所望する方向にスライディングさせた上で、ボタンを押すという意味である)。
【００３４】
図示されたように、ハングルキーパッド１００は、通話、文字モード、電源などのような機能キーを含めて複数個(６行３列)のボタンが備えられており、第１行に備えられた三つのボタンは、通話、文字モード、電源を割り当てることが好ましく、残りの第２行から第６行の１列と３列までは、ハングルの子音と母音を全て順次に割り当てて、キーパッド１０がスライディング可能な少なくとも四つ以上の方向に母音を割り当てる(ここでは、八つ方向(左上、上、右上、左、右、左下、下、右下)を例にとり述べると共に、当該八つのスライディング方向に、‘(ハングル母音のＡの文字)’、‘(ハングル重母音のＷＡの文字)’、‘ (ハングル母音のＯの文字)’、‘ (ハングル母音のＵ(横)の文字)’、‘ (ハングル母音のＩの文字)’、‘ (ハングル母音のＵの文字)’、‘(ハングル重母音のＷＯの文字)’、‘(ハングル母音のＯ(反時計方向に９０°回転)の文字)’の八つの母音を割り当てる)。
【００３５】
この際、キーパッド１０がスライディングされる八つの方向に割り当てられた八つの母音を除いた残りの母音の場合には、当該キーパッド１０を操作する使用者により、一回押し、二回押し、長く押しといったキー操作、キーパッド１０のスライディング優先操作により作られる。
【００３６】
つまり、使用者がキーパッド１０上に割り当てられた‘(ハングル子音のＫ(又はＧ)の文字)’子音を押した状態で右側下方(右下)にキーパッド１０をスライディング操作すると、基本的に配置された母音‘(ハングル母音のＯ(反時計方向に９０°回転)の文字)’と組み合わせられた‘(ハングルのコ(又はゴ)の文字)’が表示され、右側下方（右下）を操作した状態のまま手を離さずに直ぐ‘(ハングル子音のＫ(又はＧ)の文字)’子音が割り当てられたボタンをもう一度押圧すると、母音の‘(ハングル母音のＩの文字)’が追加され、‘(ハングルのコ(又はゴ)の文字)’から‘(ハングルのケ(又はゲ)の文字)’に表示されると共に、その状態で、‘(ハングル子音のＫ(又はＧ)の文字)’子音が割り当てられたボタンをもう一度押圧すると‘(ハングル重母音のＥの文字)’が‘(ハングル重母音のＹＥの文字)’に変換され、‘(ハングルのケ(又はゲ)の文字)’から‘(ハングルのケェ(又はゲェ)の文字)’に表示されるなど、基本的な八つの母音の他に、全ての母音を組み合わせることが可能となる。
【００３７】
また、‘(ハングル子音のＫ(又はＧ)の文字)’子音が割り当てられたボタンを押したまま、右側下方(右下)にキーパッド１０をスライディング操作した状態で使用者が手を外さずに、ボタンを長く一度押圧すると、‘(ハングル母音のＯ(反時計方向に９０°回転)の文字)’が‘(ハングル母音のＹＯ(反時計方向に９０°回転)の文字)’に変換され、‘(ハングルのコ(又はゴ)の文字)’から‘(ハングルのキョ(又はギョ)の文字)’に表示される。前述したような内容は、キーパッド１０のスライディングを優先的に操作することによっても可能となるが、それについては生成規則の説明で詳述する。
【００３８】
もちろん、‘(ハングル子音のＫ(又はＧ)の文字)’を表示するためには、その場所で当該ボタンを一度押せばよいし、‘(ハングル重子音のＫＫの文字)’の場合は、‘(ハングル子音のＫ(又はＧ)の文字)’子音が割り当てられたボタンを二度押せばよい。次いで、‘(ハングル第３子音(パッチム)のＲ(ル)の文字)’を表示するためには、‘(ハングル子音のＲ(又はＬ)の文字)’子音が割り当てられたボタンを一度押してから‘(ハングル子音のＰ(又はＢ)の文字)’子音が割り当てられたボタンを一度押圧すると‘(ハングル第３子音(パッチム)のＲ(ル)の文字)’文字の組合が完了することになる。
【００３９】
前述したことから、子音と八つの母音を除いて、その他の文字らの生成規則について簡単にまとめてみると、次の通りである。
【００４０】
（１）子音と、‘(ハングル母音のＹＡの文字)、(ハングル母音のＹＯ(反時計方向に９０°回転)の文字)、(ハングル母音のＹＯの文字)、(ハングル母音のＹＵの文字)、(ハングル重母音のＷＡＥの文字)、(ハングル重母音のＷＥの文字)、(ハングル重母音のＷＩの文字)’母音との組合のためには、母音‘(ハングル母音のＡの文字)、(ハングル母音のＯ(反時計方向に９０°回転)の文字)、(ハングル母音のＯの文字)、(ハングル母音のＵの文字)、(ハングル重母音のＷＡの文字)、(ハングル重母音のＷＯの文字)、(ハングル母音のＵ(横)の文字)、(ハングル母音のＩの文字)’を先に操作した上で当該子音を操作する。この際、子音信号のないまま、最初に母音‘(ハングル母音のＡの文字)、(ハングル母音のＯ(反時計方向に９０°回転)の文字)、(ハングル母音のＯの文字)、(ハングル母音のＵの文字)、(ハングル重母音のＷＡの文字)、(ハングル重母音のＷＯの文字)、(ハングル母音のＵ(横)の文字)、(ハングル母音のＩの文字)’の操作信号があれば、繋がる子音を組み合わせて完成型ハングル(母音、‘(ハングル母音のＹＡの文字)、(ハングル母音のＹＯ(反時計方向に９０°回転)の文字)、(ハングル母音のＹＯの文字)、(ハングル母音のＹＵの文字)、(ハングル重母音のＷＡＥの文字)、(ハングル重母音のＷＥの文字)、(ハングル重母音のＷＩの文字)’と子音とが組み合わされたハングル)を出力させることになる(例えば、‘(ハングルのキャ(又はギャ)の文字)、(ハングルのキョ(又はギョ)の文字に標記されるもののうち、ハングル母音のＹＯが反時計方向に９０°回転された文字)、(ハングルのキョ(又はギョ)の文字)’の出力を行うためには、‘(ハングル母音のＡの文字)、(ハングル子音のＫ(又はＧ)の文字)、(ハングル母音のＯ(反時計方向に９０°回転)の文字)、(ハングル子音のＫ(又はＧ)の文字)、(ハングル母音のＯの文字)、(ハングル子音のＫ(又はＧ)の文字)’の順に、キーパッド１０上のボタンを押圧し、且つキーパッド１０を当該母音の割り当てられた方向にスライディングさせる)。
(２)子音と、‘(ハングル母音のＹＡの文字)、(ハングル母音のＹＯ(反時計方向に９０°回転)の文字)、(ハングル母音のＹＯの文字)、(ハングル母音のＹＵの文字)、(ハングル重母音のＷＡＥの文字)、(ハングル重母音のＷＥの文字)、(ハングル重母音のＷＩの文字)’の他の母音とを組み合わせるためには、先に子音が操作された状態で、当該母音を操作する(例えば、‘(ハングルのカコ(ハングルのコ文字のうちにハングル母音Ｏが反時計方向に９０°回転されたもの)コ’を出力するためには、‘(ハングル子音のＫ(又はＧ)の文字)、(ハングル母音のＡの文字)、(ハングル子音のＫ(又はＧ)の文字)、(ハングル母音のＯ(反時計方向に９０°回転)の文字)、(ハングル子音のＫ(又はＧ)の文字)、(ハングル母音のＯの文字)’の順に、キーパッド１０上のボタンを押圧し、且つキーパッド１０を当該母音が割り当てられた方向にスライディングさせる)。
（３）二重母音‘(ハングル重母音のＡＥの文字)、(ハングル重母音のＥの文字)、(ハングル重母音のＷＥの文字)、(ハングル重母音のＷＩの文字)、(ハングル重母音のＹＡＥの文字)、(ハングル重母音のＹＥの文字)’を出力させるためには、当該母音‘(ハングル母音のＡの文字)、(ハングル母音のＯ(反時計方向に９０°回転)の文字)、(ハングル母音のＯの文字)、(ハングル母音のＵの文字)、(ハングル母音のＹＡの文字)、(ハングル母音のＹＯ(反時計方向に９０°回転)の文字)’が操作された状態で子音ボタンをもう一度操作する(例えば‘(ハングルのゲェの文字)(ハングルのゲの文字)(ハングルのゲー(ＧＯＥ)文字)’を出力するためには‘(ハングル子音のＫ(又はＧ)の文字)、(ハングル母音のＡの文字)、(ハングル子音のＫ(又はＧ)の文字)、(ハングル子音のＫ(又はＧ)の文字)、(ハングル母音のＯ(反時計方向に９０°回転)の文字)、(ハングル子音のＫ(又はＧ)の文字)、(ハングル子音のＫ(又はＧ)の文字)、(ハングル母音のＯの文字)、(ハングル子音のＫ(又はＧ)の文字)’の順に、キーパッド１０上のボタンを押圧したり、キーパッド１０を当該母音が割り当てられた方向にスライディングさせる)。
(４)子音を操作した後、キーパッド１０が元の位置になってから母音を操作すれば子音のみ出力されるが、子音が操作されなかった状態で母音のみを操作する場合には、後に続く子音の操作がなければどんな文字も出力されない。
(５)母音と組み合わされる子音が硬音‘(ハングル重子音のＫＫの文字)、(ハングル重子音のＴＴの文字)、(ハングル重子音のＰＰの文字)、(ハングル重子音のＳＳの文字)、(ハングル重子音のＣＣＨの文字)’であるか、又はキーパッド上に割り当てられた右側子音(例えば、‘(ハングル子音のＮＧの文字)’と‘(ハングル子音のＨの文字)’が一つのキーパッドに配置された場合は、‘(ハングル子音のＮＧの文字)’を指す)の場合、当該子音を所定時間より長く操作する。
(６)子音が操作された状態ではない場合には、母音の出力は不可能であり、母音が操作された状態ではない場合には、二重母音‘(ハングル重母音のＡＥの文字)、(ハングル重母音のＥの文字)、(ハングル重母音のＷＥの文字)、(ハングル重母音のＷＩの文字)、(ハングル重母音のＹＡＥの文字)、(ハングル重母音のＹＥの文字)’の出力は不可能である。
(７)音節の組合は、初音素の信号が維持されることで完成され、且つ、二重母音の出力や硬音の出力のために子音ボタンを解除する場合、母音の操作が維持されることで、完成型ハングルの出力が可能となる。
(８)配列された子音のうち、右側の子音は長く押圧することによって出力する。
(９)硬音の出力は、所定時間より長く押圧することによって出力する。
(１０)キーパッド１０がスライディングされる対角線方向に割り当てられた母音の出力は、当該対角線の両側のスイッチがほんの０.１秒でも共に押圧されている状態であれば、対角線母音として認識する。
【００４１】
一方、使用者がハングルキーパッド１００を介して文字の他に数字又は記号などを入力する場合には、第１行１列の通話ボタンを押した状態で、キーパッド１０を下方にスライディングさせ、数字又は記号モードで設定した後、所望する数字又は記号を入力することになる(後述するローマ字や日本語文字モードと同様である)。
【００４２】
例えば、使用者が数字１を入力するためには、通話ボタンを押圧した状態でキーパッド１０を下方にスライディングさせた後、１が印刷されたボタンを一回押せばよい。且つ、‘？’の記号を入力するためには、第６行２列のボタンを押した状態でキーパッド１０を上方にスライディングさせればよい。
【００４３】
この際、ハングルキーパッド１００における第６行２列(そして、後述するローマ字キーパッド２００における第６行２列と第６行３列 、日本語キーパッド３００における第５行１列、第５行３列、第６行１列ないし３列)の数字及び記号の入力の場合には、使用者が、キーパッド１０を下方にスライディングさせ、数字及び記号モードの設定をしなくてもよい。つまり、ハングルキーパッド１００で、使用者が‘＋’を入力させるためには、通話ボタンを押した状態でキーパッド１０を下方にスライディングさせた後、第５行１列のボタンを押圧した状態で、キーパッド１０を上方にスライディングさせなければならないが、‘＆’を入力するためには、数字及び記号モードの設定なしに第６行２列のボタンを押圧した状態でキーパッド１０を右上に操作すればよいのである(日本語キーパッド３００の場合には、数字入力と方向キー操作の場合にのみ、通話ボタンを押圧した状態でキーパッド１０を下方にスライディングさせ、数字及び記号モードを設定してから入力するが、記号入力はモードの設定なしに直ぐ操作することができる)。
【００４４】
そして、使用者が文字を入力する場合、表示部９０にディスプレーされるカーソルの方向を調整するためには第５行２列にある方向表示を利用する。例えば、使用者が通話ボタンを押した状態で、キーパッド１０を下方にスライディングさせた後、第５行２列のボタンを押した上で、キーパッド１０を右側にスライディングさせると、表示部９０にディスプレーされるカーソルが右側に移動し、所望する位置までカーソルの移動を行うためには所望位置にカーソルが達する時まで、当該ボタンの操作状態をそのまま維持すればよい。
【００４５】
ここで、記号の配列は効率性を考慮して割り当てられるが、特に、各言語別数字及び記号モードの設定において、モード設定なしに直ぐ数字及び記号を入力することが可能なボタンに頻繁に用いられる記号を割り当てることがさらに望ましい。
【００４６】
上述したようなハングル入力の過程から、使用者が当該ボタンを押した状態で、キーパッド１０をスライディングする時ごとに子音と共にスライディング方向に割り当てられた母音とが組み合わされることによって文字が作成されるため、子音と母音を別々に入力する既存の方式より入力回数が大幅に短縮され、使用上の煩わしさを有効になくすことが可能となる。
【００４７】
即ち、使用者は、キーパッド１０がスライディングされる八つの方向に割当ての八つの母音からボタンを押圧する時ごとに母音の画数を一つずつ増やしていくと理解しながら操作することになる。その原理は、全部して三種類であって、子音と母音の組合規則を熟知する過程が、既存の方式より非常にわかり易いため、短い時間で熟知することが可能となる。
【００４８】
この際、ハングル子音の配列手順は、ハングル辞典に出ているハングル子音の手順に従うため、使用者が別に熟知しなくてもよく、簡単且つ容易に使用し得るようになっている。
【００４９】
また、前述したハングル入力規則によれば、既存のコンピュータキーボードにおいて１００個を超えるキーを用いた入力回数より最大５０％ほど短縮された入力速度を具現することができ、さらに熟練した使用者は両手を介して通信用縮小型キーパッドの少数ボタンのみでコンピュータキーボードの文字入力速度よりいちはやく具現することができる。
【００５０】
図６は、本発明による通信端末機の文字/数字入力装置のローマ字キーパッド２００の一実施例を示した図面であり、図７は、本発明のローマ字キーパッド２００を用いた文字・数字入力方法において、子音と母音の組合を具現するための変換例及び子音と母音の組合を示す図表として、‘ＡＢ’が配置されたボタンを用いた様々な種類のローマ字入力方法を例示したものである(この際、図表の下段の例示で、‘−’表示は、ボタンを押した状態で操作するという意味で、‘押す(ｐｒｅｓｓ)’の意味は、ボタンを押さずに手の摩擦力のみでキーパッド１０を所望する方向にスライディングさせた状態でボタンを押すという意味)。
【００５１】
図示されたように、ローマ字キーパッド２００は、通話、文字モード、電源などの機能キーを含めた複数個(６行３列)のボタンを備えており、第１行に備えられた三つのボタンは、通話、文字モード、電源を配置することが好ましく、残りの第２行から６行の１列までは、ローマ字のアルファベットを順次に２個ずつそれぞれの１３個のボタンに割り当てる。
【００５２】
そして、キーパッド１０のスライディング可能な少なくとも四つ以上の方向に子音および母音を割り当てて(ここでは、七つの方向(左上、上、右上、左、右、左下、右下)を例にとり述べるが、当該七つのスライディング方向に‘Ａ、Ｅ、Ｉ、Ｏ、Ｕ、Ｗ、Ｙ’の七つの子音及び母音を割当)、キーパッド１０がスライディングされる下方は、各ボタンに割り当てられた二つのアルファベットのうちに２番目のもの、つまり右側に配置されたアルファベットを入力する時に使用される。つまり、キーパッド１０上の各ボタンに割り当てられた二つのアルファベットのうち、左側にあるアルファベットの入力方法は当該ボタンを一度押圧すればよく、右側にあるアルファベットの入力方法は当該ボタンを押した状態でキーパッド１０を下方にスライディングさせればよい。
【００５３】
前述したローマ字キーパッド２００における入力について詳述すると、使用者が、‘ＡＡ’を入力させたい場合は、第２行１列のボタンを押した状態で、キーパッド１０を左側上段(左上)にスライディングさせればよいが、‘ＢＡ’を入力させたい場合は第２行１列のボタンを押さずに手の摩擦力のみでキーパッド１０を左側上段にスライディングさせた状態で第２行１列のボタンを一度押せばよい。
【００５４】
ここで、‘ＢＡ’を入力する際、使用者がキーパッド１０を左側上段(左上)にスライディングさせた状態で、第２行１列のボタンを一度押圧するため、文字入力回数の面では殆ど一回に近いと言える。
【００５５】
前述したようなローマ字の文字生成規則を間単にまとめてみると、次の通りである。
（１）キーパッド１０上に割り当てられた右側文字と、キーパッド１０がスライディングされる各方向に割り当てられた‘ａ、ｅ、ｉ、ｏ、ｕ、ｗ、ｙ’とを組み合わせるためには、先に‘ａ、ｅ、ｉ、ｏ、ｕ、ｗ、ｙ’を操作した上で当該右側文字が配置されたボタンを操作する。ここで、ボタン信号なしに、最初、‘ａ、ｅ、ｉ、ｏ、ｕ、ｗ、ｙ’の操作信号があれば、後につながるボタンの右側文字を組み合わせて出力させる(例：‘ｂａｂｅｂｉ’を出力させるためには、‘ａ、ｂ、ｅ、ｂ、ｉ、ｂ’の順で操作する)。
(２）キーパッド１０に割り当てられた左側文字と、キーパッド１０がスライディングされる各方向に割り当てられた ‘ａ、ｅ、ｉ、ｏ、ｕ、ｗ、ｙ’とを組み合わせるためには、左側文字に割り当てられたボタンが操作された状態で、キーパッド１０をスライディングさせ、当該母音を操作する場合に可能となる(例：‘ｃａｃｅｃｉ’を出力させるためには、‘ｃ、ａ、ｃ、ｅ、ｃ、ｉ’の順で操作する)。
(３)キーパッド１０上のボタンを押した状態で、上、下、左、右、対角線などの方向にスライディングされたキーパッド１０が元の位置になってから母音を操作すれば、当該ボタンの右側文字のみが出力される。且つ、ボタンを押圧しなかった状態で、上、下、左、右、対角線などの方向にキーパッド１０をスライディングさせ、母音のみを操作する場合には、後につながるボタンの操作がなければ、どんな文字も出力されない。
(４)ボタンが操作された状態ではない場合には、キーパッド１０の各スライディング方向に割り当てられた母音の出力は不可能である。
(５)音節(ボタンに割り当てられたローマ字及びキーパッド１０の各スライディング方向に割り当てられた母音)の組合は、初音素の信号が維持された(即ち、押圧された状態)状態になっていれば、完成される。
(６)割り当てられた子音のうち、右側のローマ字は当該ボタンを押圧した状態で、キーパッド１０を下方へスライディングさせて出力する。
(７)キーパッド１０がスライディングされる対角線方向に割り当てられた母音の出力は、当該対角線の両側のスイッチが僅か０．１秒でも共に押圧されていれば、対角線母音と認識される。
【００５６】
このように、ローマ字入力の場合にも、ハングル入力と同様に一回のボタン操作により二つの文字を入力することができる。しかし、ローマ字の特性上、全ての文字を一回のボタン操作で二つの文字を入力し得るわけではない。アルファベットの子音の次に子音がまた来る場合には、当該子音をそれぞれ入力しなければならない。このようにしても、既存の通信端末機におけるローマ字入力速度よりは速い。そして、ローマ字の大小文字変換及び選択は、第６行３列にある変換ボタンを一度押してから、当該アルファベットを入力すればよい。
【００５７】
したがって、ローマ字キーパッド２００もやはり既存通信端末機の文字入力速度を大きく改善することができ、別のアルファベット単語を選択しなくても、たった一回のボタン操作によって最大二つのアルファベットを入力することが可能となる。
【００５８】
図８は、本発明による通信端末機の文字・数字入力装置の日本語キーバッド３００の一実施例を示した図面であり、且つ、図７は、本発明の日本語キーパッド３００を用いた文字・数字入力方法において、子音と母音の組合を具現するための変換例及び子音と母音の組合を示す図表として、‘あ’が割り当てられたキーを用いて多様な日本語入力方法を例にしたものである(この際、図表の下段に例示から、‘−’表示はボタンを押した状態で操作を行うという意味であり、‘押す(ｐｒｅｓｓ)’の意味は、ボタンを押さずに手の摩擦力のみでキーパッド１０を所望する方向にスライディングさせた状態でボタンを押圧するという意味である)。
【００５９】
図示のごとく、日本語キーパッド３００は、通話、文字モード、電源などの機能キーを含めて複数個(６行３列)のボタンを備えており、第１行に備えられた３個のボタンには、通話、文字モード、電源を割り当てることが好ましく、残りの第２行から第５行の２列までは日本語(平仮名)の‘あ’段の１０文字を順に１０個のボタンに割り当てる。
【００６０】
そして、キーパッド１０がスライディング可能な少なくとも四つ以上の方向(ここでは、４方向(上、下、左、右)を例にとり説明するが、当該四つのスライディング方向に‘い’段、‘う’段、‘え’段、‘お’段の文字を入力することが可能となるように割り当てる。
【００６１】
例えば、‘は’を入力するためには、第３行３列に位置の当該ボタンを一度押圧すればよく、‘め’を入力するためには、第４行１列の‘ま’ボタンを押圧しなかった状態で手の摩擦力のみでキーパッド１０を右側にスライディングさせればよい。
【００６２】
そして、発音文字の‘ん’を入力するためには、キーパッド１０上の各ボタンに割り当てられた文字を入力する際、当該ボタンをもう一度押圧すれば可能となり、促音‘っ’を入力するためには手の摩擦力のみでキーパッド１０を‘う’段が割り当てられた左側にスライディングさせた後、キーパッド１０上に割り当てられた‘た’のボタンを長く押せばよい。
【００６３】
また、拗音を表すための半母音、‘ゃ’、‘ゅ’、‘ょ’を入力するためには、‘や’のボタンを押圧するか、或いは‘や’のボタンを押圧した状態でキーパッド１０を左側又は下方にスライディングさせ、‘や’、‘ゆ’、‘よ’を入力した上で、当該ボタンを長く押圧すれば可能となり、濁音の場合は、‘か’、‘さ’、‘た’、‘は’行の各文字を入力した後、第５行１列の濁音ボタンを押圧すればよい。
【００６４】
さらに、半濁音の場合、‘は’行の各文字を入力した状態で当該ボタンを長く一度押圧すれば可能となり、長音‘―’の場合、入力したい文字を入力した後、第６行の１列の長音ボタンを押圧すればよい。
【００６５】
一方、日本語の平仮名、片仮名の変換は、第６行３列の変換ボタンを操作することで設定される。つまり、使用者が文字入力を片仮名に変換させたい場合には、文字入力後に変換ボタンを一度押し、表示部９０にディスプレーされた平仮名と片仮名モードのうち、片仮名モードを選択すればよい。
【００６６】
そして、日本語の外来語標記において、‘ｆ’音を表現するためには、‘フ’の後に‘ァ’、‘ィ’、‘ェ’、‘ォ’を小さく表示するが、‘ア’行の各文字を入力した状態で、当該ボタンを所定時間より長く押せば可能となる。
【００６７】
また、日本語の漢字を入力したい場合には、第５行３列の漢字ボタンを押圧してから平仮名を入力すると、通信端末機内の文字貯蔵部４０に保存されていた漢字が読み出され、表示部９０にディスプレーされる。
【００６８】
ここで、通常、通信端末機は二つ以上の言語を利用すべく、キーパッド一つに複数個の言語を一緒に配置する場合が多いが、前述した本発明の説明では、一種類の言語で表記されたキーパッドを用いて説明した。
【００６９】
次には、前述したように構成された本発明による通信端末機の文字・数字入力方式の一実施例を添付の図１０ないし図１７を参照として詳しく説明する。
【００７０】
図１０ないし図１７は、本発明による通信端末機の文字・数字入力方法の動作過程を詳しく示したフローチャートである。
先ず、通信端末機１のマイクロプロセッサー７０では、使用者がキーパッド１０上に備えられた文字モードキーを押圧し、言語別文字モードを選択するか否かを判断し(Ｓ１００)、使用者が言語別文字モードを選択すると、ハングル入力モード、ローマ字入力モード、日本語入力モードのうち、何れかの入力モードを選択するかを判断する(Ｓ２００)。
【００７１】
例えば、キーパッド１０がスライディング可能な上、下、左、右の方向にハングル入力モード、ローマ字入力モード、日本語入力モード、文字貯蔵モードが設定されていると仮定すれば、使用者が文字モードキーを押圧した後、キーパッド１０を上方向にスライディングさせるとハングル入力モードを、キーパッド１０を下方向にスライディングさせるとローマ字入力モードを、キーパッド１０を左方向にスライディングさせると日本語入力モードを、キーパッド１０を右方向にスライディングさせると文字貯蔵モードを選択したことと判断する。
【００７２】
前述した過程(Ｓ２００)の判断結果、使用者がハングル入力モードを選択すれば、マイクロプロセッサー７０ではボタン操作認識部２０及び/またはキーパッドスライディング認識部３０から入力されるキーパッド１０に備えられた複数のボタン操作、又は上、下、左、右、対角線などの方向へのキーパッド１０スライディング操作によるキー信号を検出し、当該ハングルの子音、母音及び数字/記号を組み合わせた後、表示部９０を介して画面上にディスプレーする(Ｓ３００)。
【００７３】
これを詳しく説明すると、使用者のハングル入力モード選択によって、通信端末機１のマイクロプロセッサー７０では、ハングル入力モードに切り換えられ、ハングル入力待機状態を維持し(Ｓ３１０)、このような状態で当該使用者がメニューキー(例えば、キーパッド１０の通話キー)を押圧した後、キーパッド１０を上、下、左、右の方向にスライディングさせ、文字消し、空白文字出力、数字及び記号入力、ライン変更のメニューを選択するか否かを判断する(Ｓ３２０)。
【００７４】
判断結果、当該使用者がメニューを操作すると、マイクロプロセッサー７０では使用者により選ばれた文字消し、空白文字出力、数字及び記号入力、ライン変更のメニューを実行し、前述した段階Ｓ３２０の以降を繰り返して行う(Ｓ３３０)。
【００７５】
しかしながら、前述した段階(Ｓ３２０)の判断結果、使用者が文字消し、空白文字出力、数字及び記号入力、ライン変更のメニューを選択しなければ、マイクロプロセッサー７０では使用者がキーパッド１０上に備えられた複数のボタン及び/または上、下、左、右、対角線方向にキーパッド１０をスライディング操作し、ハングルの子音、母音を入力するか否かを判断する(Ｓ３４０)。
【００７６】
判断結果、キーパッド１０上に備えられた複数のボタン及び/または、上、下、左、右、対角線方向にキーパッド１０をスライディング操作することで子音、母音を入力すると、マイクロプロセッサー７０ではボタン操作認識部２０及び/又はキーパッドスライディング認識部３０から入力されるキー信号を基に当該使用者が入力した子音及び単母音の入力を確認する(Ｓ３５０)。
【００７７】
または、マイクロプロセッサー７０ではボタン操作認識部２０及び/又はキーパッドスライディング認識部３０から入力されるキー信号を基に当該使用者が入力した子音及び二重母音の入力を確認する(Ｓ３６０)。
【００７８】
それから、マイクロプロセッサー７０では上述した段階Ｓ３５０、Ｓ３６０を通じて使用者の単母音入力又は二重母音の入力操作によるハングルを表示部９０上にディスプレーし、前述した段階Ｓ３２０の以降を繰り返して行う(Ｓ３７０)。
【００７９】
この際、前述した段階Ｓ３５０の単母音入力処理過程を図１２を参照として詳しく説明すると、次の通りである。
【００８０】
マイクロプロセッサー７０では、ハングルを入力しようとする使用者の操作により、キーパッド１０上に備えられた特定ボタンが押圧された状態であるか否かを判断し(Ｓ３５１)、使用者の操作によりキーパッド１０上に備えられた特定ボタンが押圧された状態であれば、使用者によるキーパッド１０のスライディング操作により各スライディング方向に割り当てられた特定母音が選択されるか否かを判断する(Ｓ３５２)。
【００８１】
判断結果、使用者のキーパッドスライディング操作により各スライディング方向に割り当てられた特定母音が選ばれると、マイクロプロセッサー７０ではハングル入力のための子音と母音が一つずつ選択されるか否かを判断し(Ｓ３５３)、子音と母音が一つずつ選ばれたら、子音が割り当てられた特定ボタンが使用者により再び選択されたか否かを判断する(Ｓ３５４)。
【００８２】
判断結果、子音が割り当てられた特定ボタンが再び選ばれると、マイクロプロセッサー７０では当該子音と二重母音を組み合わせて(Ｓ３５５)、使用者の操作による文字が完成型ハングルとなるか否かを判断し、完成型ハングルとなることが可能であれば前述した段階Ｓ３７０を行う(Ｓ３５６)。
【００８３】
しかし、前述した段階Ｓ３５６の判断結果、使用者の操作による文字が完成型ハングルとならない場合には、マイクロプロセッサー７０では使用者が入力した文字が子音のみであれば当該子音のみを出力し、前述した段階Ｓ３７０を行う(Ｓ３５７)。
【００８４】
次いで、前述した段階Ｓ３５２の判断結果、使用者のキーパッド１０のスライディング操作により各スライディング方向に割り当てられた特定母音が選択されなかった場合、マイクロプロセッサー７０では使用者の操作により当該ボタンが所定時間より長く押圧されるか否かを判断し(Ｓ３５８)、使用者の操作により当該ボタンが長く押圧されたら、当該子音を硬音と認識し、前述した段階Ｓ３５１の以降を繰り返して行う(Ｓ３５９)。
【００８５】
そして、前述した段階Ｓ３５３の判断結果、子音と母音とが一つずつ選ばれなかった場合、マイクロプロセッサー７０では使用者のキーパッド１０スライディング操作により、子音一つ、母音二つが選択された状態であるか否かを判断し(Ｓ３５Ａ)、次いで子音一つ、母音二つが選択された状態であれば、キーパッド１０がスライディングされる当該対角線方向に割り当てられた母音を認識した後(Ｓ３５Ｂ)、前述した段階(Ｓ３５４)以降を繰り返して行う。一方、子音一つ、母音二つが選ばれなかったら、前述した段階Ｓ３５６の以降を繰り返して行う。
【００８６】
また、前述した段階Ｓ３６０の二重母音の入力処理過程を図１３を参照として詳しく説明すると、次の通りである。
【００８７】
マイクロプロセッサー７０では、使用者の操作によりキーパッド１０上のボタンが押圧されなかった上で、手の摩擦力のみでキーパッド１０がスライディングされ、特定母音が選択されたか否かを判断する(Ｓ３６１)。次いで、使用者の操作によりキーパッド１０がスライディングされることで特定母音が選択されたら、使用者の操作によりキーパッド１０上の特定ボタンが操作され、子音が選択される否かを判断する(Ｓ３６２)。
【００８８】
判断結果、キーパッド上の特定ボタンが操作されることで子音が選ばれた場合、マイクロプロセッサー７０では前述した段階Ｓ３６１、Ｓ３６２を介して使用者選択による母音と子音とが押圧されるか否かを判断し(Ｓ３６３)、使用者により選ばれた母音と子音とが押圧された状態であれば、使用者の操作によりキーパッド上の特定ボタンがもう一度選択されるか否かを判断する(Ｓ３６４)。
【００８９】
次いで、キーパッド１０上の特定ボタンがもう一度選ばれた場合は、マイクロプロセッサー７０では当該子音と二重母音とを組み合わせて(Ｓ３６５)、使用者の操作による文字が完成型ハングルとなるか否かを判断し、完成型ハングルとなる場合は前述した段階Ｓ３７０を実行するが、完成型ハングルとならない場合は前述した段階Ｓ３２０の以降を繰り返して行う(Ｓ３６６)。
【００９０】
しかし、前述した段階Ｓ３６１の判断結果、キーパッド１０のスライディングにより特定母音が選択されなかったら、マイクロプロセッサー７０では使用者のキーパッド１０のスライディング操作により母音が二つ選択されるか否かを判断し(Ｓ３６７)、使用者のキーパッド１０のスライディング操作により母音が二つ選択された場合は、キーパッド１０がスライディングされる当該対角線方向に割り当てられた母音を認識し、前述した段階Ｓ３６２以降を繰り返して行う(Ｓ３６８)。
【００９１】
また、前述した段階Ｓ３６２の判断結果、子音が選択されなかった場合は、マイクロプロセッサー７０では使用者の操作により‘＊’のボタンが選ばれたか否かを判断し(Ｓ３６９)、‘＊’のボタンが選ばれたら、母音が二つ押圧されるか否かを判断する(Ｓ３６Ａ)。
【００９２】
判断結果、母音が二つ押圧された状態であれば、マイクロプロセッサー７０ではキーパッド１０がスライディングされる当該対角線方向に配置された母音を認識し(Ｓ３６Ｂ)、 使用者の操作による‘＊’ボタンの一回、二回の選択によって、当該母音を単独で出力し、前述した段階Ｓ３２０以降を繰り返して行う(Ｓ３６Ｃ)。
【００９３】
また、前述した段階Ｓ３６４の判断結果、キーパッド１０上の特定ボタンがもう一度選択されなかったら、マイクロプロセッサー７０では使用者の操作により当該ボタンが長く押圧されるか否かを判断し(Ｓ３６Ｄ)、当該ボタンが長く押圧された場合は当該子音を硬音と認識し、前述した段階Ｓ３６６以降を繰り返して行う(Ｓ３６Ｅ)。
【００９４】
一方、前述した段階Ｓ２００の判断結果、当該使用者がローマ字入力モードを選んだ場合、マイクロプロセッサー７０では、ボタン操作認識部２０及び/又はキーパッドスライディング認識部３０から入力されるキーパッド１０上に備えられた複数のボタン操作又は上、下、左、右、対角線などの方向へのキーパッド１０スライディング操作によるキー信号を検出し、次いで当該ローマ字の子音、母音及び数字/記号を組み合わせた後、表示部９０を介して画面上に表示する(Ｓ４００)。
【００９５】
これを詳しく説明すると、使用者のローマ字入力モード選択により、通信端末機１のマイクロプロセッサー７０では、ローマ字入力モードに切り換えられてローマ字入力待機状態を維持する(Ｓ４１０)。このような状態では、当該使用者がメニューキー(例えば、キーパッド１０の通話キー)を押圧した後、キーパッド１０を上、下、左、右にスライディングさせ、文字消し、空白文字出力、数字及び記号入力、ライン変更のメニューを選択するか否かを判断する(Ｓ４２０)。
【００９６】
判断結果、使用者がメニューを操作すると、マイクロプロセッサー７０では使用者が選択した文字消し、空白文字出力、数字及び記号入力、ライン変更のメニューを実行し、前述した段階Ｓ４２０以降を繰り返して行う(Ｓ４３０)。
【００９７】
しかし、前述した段階Ｓ４２０の判断結果、使用者が文字消し、空白文字出力、数字及び記号入力、ライン変更のメニューを選択しなかった場合は、マイクロプロセッサー７０では使用者がキーパッド１０上に備えられた複数のボタン及び/または上、下、左、右、 対角線の方向にキーパッド１０のスライディング操作を行うことによって、ローマ字の子音、母音を入力するか否かを判断する(Ｓ４４０)。
【００９８】
判断結果、キーパッド１０上に備えられた複数のボタン及び/または、上、下、左、右、対角線の方向にキーパッド１０をスライディング操作することで、ローマ字の子音、母音を入力することになると、マイクロプロセッサー７０ではボタン操作認識部２０及び/またはキーパッド１０のスライディング認識部３０から入力されるキー信号を基に当該使用者が入力したキーパッド１０上の各ボタンに割り当てられた左側文字とキーパッド１０のスライディング方向に割り当てられた子音、母音の入力を確認する(Ｓ４５０)。
【００９９】
また、マイクロプロセッサー７０ではボタン操作認識部２０及び/またはキーパッド１０のスライディング認識部３０から入力されるキー信号を基に当該使用者が入力したキーパッド１０上の各ボタンに割当ての右側文字とキーパッド１０のスライディング方向に割当ての子音、母音の入力を確認する(Ｓ４６０)。
【０１００】
次に、マイクロプロセッサー７０では前述した段階(Ｓ４５０)(Ｓ４６０)を介した使用者の左側文字又は右側文字によるローマ字を表示部９０上にディスプレーし、前述した段階Ｓ４２０の以降を繰り返して行う(Ｓ４７０)。
【０１０１】
ここで、前述した段階Ｓ４５０の左側文字の入力処理過程を図１５を参照としながら詳しく述べる。
【０１０２】
マイクロプロセッサー７０では、ローマ字を入力しようとする使用者の操作によりキーパッド１０上に備えられた特定ボタンが押圧されたか否かを判断し(Ｓ４５１)、キーパッド１０の上に備えられた特定ボタンが押圧された状態であれば、使用者によるキーパッド１０のスライディング操作によって、当該スライディング方向に割り当てられた特定文字が選択されたか否かを判断する(Ｓ４５２)。
【０１０３】
判断結果、キーパッド１０のスライディング操作によって特定文字が選択された場合は、マイクロプロセッサー７０では前記段階Ｓ４５１、Ｓ４５２を介して使用者の選択によるボタン及びキーパッド１０のスライディング操作状態が維持されるか否かを判断する(Ｓ４５３)。
【０１０４】
次いで、使用者により選ばれたボタン及びキーパッド１０のスライディング操作状態が維持された場合は、マイクロプロセッサー７０では当該ボタンに割当ての左側ローマ字と、キーパッド１０のスライディング方向に割当てのローマ字とを組み合わせ、前述した段階Ｓ４７０を行う(Ｓ４５４)。
【０１０５】
しかし、前記段階Ｓ４５２の判断結果、使用者によるキーパッド１０のスライディング操作によって特定文字が選択されなかった場合は、マイクロプロセッサー７０では使用者の操作によってキーパッド１０上の特定ボタンが所定時間より長く押圧されるか否かを判断し(Ｓ４５５)、使用者の操作により当該ボタンが長く押圧されたら、当該文字を頭文字と認識し、前述した段階Ｓ４５１の以降を繰り返して行う(Ｓ４５６)。
【０１０６】
また、前述した段階Ｓ４５５の判断結果、当該ボタンが長く押圧されなかったら、マイクロプロセッサー７０では使用者操作により当該ボタンに割当ての右側文字を出力するためのキー操作が行われるか否かを判断し(Ｓ４５７)、次いでキー操作が行われた場合は当該ボタンに割当ての右側文字を出力し、前述した段階Ｓ４２０の以降を繰り返して行う（Ｓ４５８）。
【０１０７】
そして、前述した段階Ｓ４５３の判断結果、使用者が選択したボタン及びキーパッド１０のスライディング操作状態が維持されなければ、マイクロプロセッサー７０では使用者のキーパッド操作によって当該スライディング方向に割り当てられた特定文字がさらに選択されるか否かを判断し（Ｓ４５９)、使用者のキーパッドスライディング操作により当該スライディング方向に割り当てられた特定文字が選ばれたら、キーパッド１０がスライディングされる当該対角線方向に割当ての母音を認識し、前述した段階(Ｓ４５４)の以降を繰り返して行う(Ｓ４５Ａ)。
【０１０８】
また、前述した段階Ｓ４６０における右側文字の入力処理過程を、図１６を参照としながら詳しく述べると、次の通りである。
【０１０９】
マイクロプロセッサー７０では、使用者の操作によりキーパッド１０上の特定ボタンが押圧されなかった上で手の摩擦力のみでキーパッド１０がスライディングされ、一つの特定文字が選択されるか否かを判断し(Ｓ４６１)、キーパッド１０のスライディング操作により特定文字が選択された場合は、使用者の操作によってキーパッド１０上の特定ボタンが操作されるか否かを判断する(Ｓ４６２)。
【０１１０】
判断結果、キーパッド１０上の特定ボタンが操作されたら、マイクロプロセッサー７０では当該ボタンが長く押圧されたか否かを判断し(Ｓ４６３)、使用者の操作により当該ボタンが長く押されると、当該文字を頭文字と認識する(Ｓ４６４)。
【０１１１】
次いで、マイクロプロセッサー７０では、前述した段階Ｓ４６４を介して認識された頭文字にローマ字を出力し、前述した段階Ｓ４７０を実行する(Ｓ４６５)。
【０１１２】
しかしながら、前述した段階Ｓ４６１の判断結果、使用者の操作によってキーパッド１０がスライディングされることで一つの文字が選択されていなかった場合、マイクロプロセッサー７０では使用者の操作によりキーパッド１０がスライディングされて、二つの文字が選択されるか否かを判断し(Ｓ４６６)、使用者の操作によってキーパッドがスライディングされて二つの文字が選択されたら、キーパッド１０がスライディングされる当該対角線方向に割り当てられた母音を認識し、前述した段階Ｓ４６２以降を行う(Ｓ４６７)。
【０１１３】
一方、前述した過程(Ｓ２００)の判断結果、当該使用者が日本語入力モードを選択する場合、マイクロプロセッサー７０ではボタン操作認識部２０及び/またはキーパッドスライディング認識部３０から入力されるキーパッド１０上に備えられた複数のボタン操作又は上、下、左、右、対角線などの方向へのキーパッド１０スライディング操作によるキー信号を検出し、当該日本語の平仮名、片仮名、漢字及び数字/記号を組み合わせた後、表示部９０を介して画面上に表示する(Ｓ５００)。
【０１１４】
これを図１７に基づいて詳しく述べると、使用者の日本語入力モード選択によって通信端末機１のマイクロプロセッサー７０では日本語入力モードに切り換え、日本語入力待機状態を維持し(Ｓ５１０)、このような状態で当該使用者がメニューキー(例えば、キーパッド１０の通話キー)を押した後、キーパッド１０を上、下、左、右方向にスライディングさせ、文字消し、空白文字出力、数字及び記号入力、ライン変更のメニューを選択するか否かを判断する(Ｓ５２０)。
【０１１５】
判断結果、使用者がメニューを選択した場合には、マイクロプロセッサー７０では、使用者が選択した文字消し、空白文字出力、数字及び記号入力、ライン変更のメニューを実行し、前述した段階Ｓ５２０以降を繰り返して行う(Ｓ５３０)。
【０１１６】
しかし、前述した段階Ｓ５２０の判断結果、当該使用者が文字消し、空白文字出力、数字及び記号入力、ライン変更のメニューを選択しなかった場合は、マイクロプロセッサー７０では使用者がキーパッド１０上に備えられた複数ボタン及び/または上、下、左、右、対角線の方向にキーパッド１０をスライディング操作を行うことから、平仮名、片仮名、漢字からなる日本語を入力するか否かを判断する(Ｓ５４０)。
【０１１７】
判断結果、使用者がキーパッド１０上に備えられた複数のボタン及び/または、上、下、左、右、対角線の方向にキーパッド１０をスライディング操作させると、マイクロプロセッサー７０では前述した段階Ｓ５４０を介した使用者のボタン操作及び/又はキーパッド１０スライディング操作による平仮名、片仮名、漢字からなる日本語を表示部９０上にディスプレーし、上述した段階Ｓ５２０の以降を繰り返して行う(Ｓ５５０)。
【０１１８】
それから、前述した過程(Ｓ３００ないしＳ５００)を介して使用者がハングル入力モード、ローマ字入力モード、日本語入力モードのうち、何れかの一つの入力モードを介した文字入力作業を終了すると、通信端末機１のマイクロプロセッサー７０では、当該使用者が文字を貯蔵するためのキー信号を選択するか否かを判断する(Ｓ６００)。
【０１１９】
判断結果、当該使用者が文字貯蔵のための貯蔵キーを選択した場合は、マイクロプロセッサー７０では使用者により入力された文字を貯蔵し(Ｓ７００)、当該使用者が文字貯蔵のための貯蔵キーを選択しなかった場合は、使用者が文字モードを終了するか否かを判断することから、文字モードを続けて実行するか、又は解除する(Ｓ８００)。        
【産業上の利用可能性】
【０１２０】
以上で分かるように本発明の通信端末機の文字/数字入力装置及び入力方法によれば、通信端末機に備えられたキーパッド上の各ボタン及びキーパッドがスライディングされる四つ以上の方向に配列される子音・母音文字の構造を使用者が容易に熟知することができるように構成すると共に、使用者が既存の通信端末機を通じて文字・数字を入力することより少ない回数でハングル、ローマ字、日本語などの各種文字/数字を迅速且つ簡単に入力することによって、既に開発されているジョイ‐スティック、ナビゲーションキー機能、スイッチ機能などを応用したキーパッド方式の通信端末機より製造コストが著しく削減できる。それに、四つ以上の方向にスライディング可能なキーパッドをより簡単且つ迅速に行うことが可能であるため、各種文書作業、電子郵便、チャット、インターネット情報検索などを具現することができ、文字・数字の入力速度を極大化させることから通信にかかる費用の低減が図れるという効果を奏する。
【０１２１】
ここで、詳述した本発明では望ましい実施例を参照としながら述べたが、当該技術分野において熟練の当業者は、特許請求範囲に記載された本発明の思想及び領域から外れない範囲内にて本発明を多様に修正及び変更し得ることが理解できよう。
【図面の簡単な説明】
【０１２２】
【図１】本発明による通信端末機の構造概略を示した図面である。
【図２】本発明による通信端末機のキーパッド駆動状態を説明するための図面である。
【図３】本発明による通信端末機の文字・数字入力装置の内部構成の一実施例を概略的に示したブロック図である。
【図４】本発明による通信端末機の文字・数字入力装置のハングルキーパッドの一実施例を示した図面である。
【図５】本発明のハングルキーパッドを通じた文字・数字入力装置において、子音・母音の組合を具現するための変換例及び子音と母音との組合を示す図表である。
【図６】本発明による通信端末機の文字・数字入力装置のローマ字キーパッドの一実施例を示した図面である。
【図７】本発明のローマ字キーパッドを通じた文字・数字入力装置において、子音・母音の組合を具現するための変換例及び子音と母音との組合を示す図表である。
【図８】本発明による通信端末機の文字・数字入力装置の日本語キーパッドの一実施例を示した図面である。
【図９】本発明の日本語キーパッドを通じた文字・数字入力装置において、子音・母音の組合を具現するための変換例及び子音と母音との組合を示す図表である。
【図１０】本発明による通信端末機の文字・数字入力方法の動作過程を示すフローチャート図である。
【図１１】図１０のハングル入力モードをより詳しく示した流れ図である。
【図１２】図１１の単母音入力と二重母音の入力をより詳しく示した流れ図である。
【図１３】図１１の単母音入力と二重母音の入力をより詳しく示した流れ図である。
【図１４】図１０のローマ字入力モードを詳しく示した流れ図である。
【図１５】図１４の左側文字と右側文字の入力をより詳しく示した流れ図である。
【図１６】図１４の左側文字と右側文字の入力をより詳しく示した流れ図である
【図１７】図１０の日本語入力モードをより詳しく示した流れ図である。
【符号の説明】
【０１２３】
１０  キーパッド
２０  ボタン操作認識部
３０  キーパッドスライディング認識部
４０  文字貯蔵部
５０  プログラムメモリ
６０  コード貯蔵部
７０  マイクロプロセッサー
８０  表示駆動部
９０  表示部
１００  ハングルキーパッド
２００  ローマ字キーパッド
３００  日本語キーパッド
【図１】
2007514363.tif 000003
【図２】
2007514363.tif 000004
【図３】
2007514363.tif 000005
【図４】
2007514363.tif 000006
【図５】
2007514363.tif 000007
【図６】
2007514363.tif 000008
【図７】
2007514363.tif 000009
【図８】
2007514363.tif 000010
【図９】
2007514363.tif 000011
【図１０】
2007514363.tif 000012
【図１１】
2007514363.tif 000013
【図１２】
2007514363.tif 000014
【図１３】
2007514363.tif 000015
【図１４】
2007514363.tif 000016
【図１５】
2007514363.tif 000017
【図１６】
2007514363.tif 000018
【図１７】
2007514363.tif 000019
【手続補正書】
【提出日】平成18年8月9日(2006.8.9)
【手続補正１】
【補正対象書類名】図面
【補正対象項目名】図６
【補正方法】変更
【補正の内容】
【図６】
2007514363.tif 000020
【手続補正２】
【補正対象書類名】図面
【補正対象項目名】図８
【補正方法】変更
【補正の内容】
【図８】
2007514363.tif 000021
【国際調査報告】
2007514363.tif 000022
2007514363.tif 000023